(57)【要約】【課題】レンジからの上昇流が少ない場合でも、煙や熱気等の排出が効率よく行へ、清掃性が容易で、壁部等への設置がやり易い施工性の良好なレンジフードファンを提供する。【解決手段】送風機１３をレンジフード本体３に内蔵し、レンジフード本体３下部に下向きに開口する吸込口２から吸い込んで外部に排気するもので、レンジフード本体３の下部側に、該レンジフード本体３とは別体となるガイドボックス４を吸込口２の両側部及び後部周囲を囲うように設け、かつ該ガイドボックス４の下部に後板１９の下板部分２１ｂでなる油受けを設けると共に、吸込口２の前面側となる下方部分に、整流板５を前側から後側に向けて下向き傾斜となるようにして全周に吸込み開口５７ａ，５７ｂ，５７ｃ，５７ｄが形成されかつ着脱可能となるよう設ける。【選択図】  図２
2004263908.tif 000002
【特許請求の範囲】
【請求項１】
送風機をレンジフード本体に内蔵し、前記レンジフード本体下部に下向きに開口する吸込口から吸い込んで外部に排気するレンジフードファンにおいて、前記レンジフード本体の下部側に、該レンジフード本体とは別体となるガイドボックスを前記吸込口の両側部及び後部周囲を囲うように設け、かつ該ガイドボックスの下部に油受けを設けると共に、前記吸込口の前面側となる下方部分に、整流板を全周に吸込み開口が形成されかつ着脱可能となるよう設けたことを特徴とするレンジフードファン。
【請求項２】
前記整流板を、前側から後側に向けて下向き傾斜となるよう設け、下端縁を前記油受け内に臨むようにしたことを特徴とする請求項１記載のレンジフードファン。
【請求項３】
前記ガイドボックスは、側板が外側板部材と内側板部材とでなるものであることを特徴とする請求項１記載のレンジフードファン。
【請求項４】
前記整流板は、固定用の掛金具を有し、前記掛金具を前記ガイドボックスの側板の内側板部材間に設けられた棒状取付金具に引掛けるようにして取り付けられていることを特徴とする請求項１及び請求項３記載のレンジフードファン。
【請求項５】
前記取付金具は、両端部に設けた合成樹脂製キャップを介して前記ガイドボックスの内側板部材に取り付けられていることを特徴とする請求項４記載のレンジフードファン。
【発明の詳細な説明】
【０００１】
【発明の属する技術分野】
本発明は、厨房等に設置されるレンジフードファンに関する。
【０００２】
【従来の技術】
周知の通り、レンジフードファンは調理時の煙や水蒸気、熱気の排出、排気等を行うために、厨房の調理用レンジの略直上方となる所定高さの壁部等に設置されている。そして、このようにレンジの上方位置に配置され、下部に下向きに開口する吸込口を有するものには、次のようなものがある。すなわち、それは、箱体に送風機を組み込み、箱体の両側及び背面を下方に延出し、両側形状を略直角二等辺三角形状とし傾斜縁を内側に入込ませ傾斜板を有するフード部、このフード部の背面下端をチャンネル状としてなる油受け、この油受け内に下縁が受承された等脚台形状の誘導板、傾斜板に設けられた逆三角形状の開口部を設けて構成され、誘導板の上縁と箱体の前縁との間の隙間と、誘導板の両側縁とフード部の両側との間の隙間とが実質的な吸込口となっている（例えば、特許文献１参照。）。
【０００３】
しかし、このような構成の換気装置では、煙や水蒸気、熱気の排出、排気等の吸込口が、誘導板の上縁と箱体の前縁との間の隙間、誘導板の両側縁とフード部の両側との間の隙間に限られ、調理を行っている下方の調理レンジに最も近い誘導板の下縁等の下部に隙間がないため、特に上昇流が少ない場合には、排出、排気を効率的になし得るとはいえない。またこの装置は、箱体は送風機が組み込まれた上、略直角二等辺三角形状のフード部を有するものであるから、重量が重く、全体形状が大きく、さらに誘導板は着脱可能ではないので、換気装置の施工や清掃等がし難いものとなっている。
【０００４】
また、他のものは、先端側の下方を開放したフード体内に、複数枚の取外し可能に斜設したパネルを間に隙間を介しオーバーラップさせ、湯気を付着させ結露を背面方向に案内するようにしてなる湯気付着手段と、その背後空間に吸込み方向を水平方向として収納された排気装置と、湯気付着手段の最背面側のパネル下端が臨む水溜容器を備えた受水手段とを設けて構成され、排気は、フード体の両側面とパネルの左右端部との間の隙間、フード体の前端と前側パネルの前端との間の隙間、パネル間の隙間から行われる（例えば、特許文献２参照。）。
【０００５】
しかし、このようなレンジフードでも、排気は、フード体の両側面とパネルの左右端部との間の隙間、フード体の前端と最前位置にあるパネルの前端との間の隙間、各パネル間の隙間から行われることになり、同様に、レンジに最も近いパネルの下部に隙間がないため、排気を効率的になし得るとはいえない。
【０００６】
また、さらに他のものは、下方を開放したフードケースと、フードケースの開放部分にフードケースとの間に隙間を設けて配置すると共にフードケースに対し着脱可能に設けた整流板と、整流板の背後上部にフィルタを配置するようにしてフードケース内に収納されたファンを設けて構成され、ファンを駆動することで、油煙はフードケースと整流板との隙間から吸引され、フィルタを通過し外部へ放出される（例えば、特許文献３参照。）。
【０００７】
しかし、このようなレンジフードでは、油煙の吸込みは、フードケースと整流板との隙間から行われ、レンジに最も近いパネルの下部とフードケースとの間に隙間があるものの、フィルタ部分での吸込み位置は比較的上方でレンジからは遠く、油煙の放出を効率的になし得るとはいえない。
【０００８】
【特許文献１】
特開２００２−１９５６２１号公報（第３−４頁、図１、２）
【０００９】
【特許文献２】
特開２００２−１３０７６１号公報（第３−４頁、図１−７）
【００１０】
【特許文献３】
特開平１０−１８５２６４号公報（第３頁、図１）
【００１１】
【発明が解決しようとする課題】
上記のような状況に鑑みて本発明はなされたもので、その目的とするところは、レンジからの上昇流が少ない、例えばＩＨ調理器による調理時やガス調理器による調理開始時においても、煙や水蒸気、熱気の排出、排気等を効率よく行うことができ、また上昇流が少ない時に効率的に煙や水蒸気、熱気を捕らえるために設けた整流板の着脱が簡単であり、清掃が容易であると共に、壁部等への設置がやり易い施工性が良好なレンジフードファンを提供することにある。
【００１２】
【課題を解決するための手段】
本発明のレンジフードファンは、送風機をレンジフード本体に内蔵し、前記レンジフード本体下部に下向きに開口する吸込口から吸い込んで外部に排気するレンジフードファンにおいて、前記レンジフード本体の下部側に、該レンジフード本体とは別体となるガイドボックスを前記吸込口の両側部及び後部周囲を囲うように設け、かつ該ガイドボックスの下部に油受けを設けると共に、前記吸込口の前面側となる下方部分に、整流板を全周に吸込み開口が形成されかつ着脱可能となるよう設けたことを特徴とするものであり、
さらに、前記整流板を、前側から後側に向けて下向き傾斜となるよう設け、下端縁を前記油受け内に臨むようにしたことを特徴とするものであり、
さらに、前記ガイドボックスは、側板が外側板部材と内側板部材とでなるものであることを特徴とするものであり、
さらに、前記整流板は、固定用の掛金具を有し、前記掛金具を前記ガイドボックスの側板の内側板部材間に設けられた棒状取付金具に引掛けるようにして取り付けられていることを特徴とするものであり、
さらに、前記取付金具は、両端部に設けた合成樹脂製キャップを介して前記ガイドボックスの内側板部材に取り付けられていることを特徴とするものである。
【００１３】
【発明の実施の形態】
以下本発明の一実施形態を、図１乃至図１２参照して説明する。図１は斜視図であり、図２は縦断面図であり、図３は分解状態を示す斜視図であり、図４はガイドボックスの斜視図であり、図５は分解状態のガイドボックスの斜視図であり、図６は分解して示す側板部要部の斜視図であり、図７は側板部要部の縦断面図であり、図８は側板部の飾り板取付け要部を示す図で、図８（ａ）は分解して示す斜視図、図８（ｂ）は縦断面図であり、図９はフードの上面側を示す斜視図であり、図１０はフードの下面側要部の斜視図であり、図１１は整流板の上面側を示す斜視図であり、図１２は運転時の状態を説明するための図で、図１２（ａ）は上昇流の少ない調理開始時等における状態を模式的に示す図、図１２（ｂ）は通常調理時における状態を模式的に示す図である。
【００１４】
図１及び図２、図３において、レンジフードファン１は、例えば厨房の調理用レンジなどの略直上方である指定された高さの壁部に設置され、図示しない排気ダクト等を介して調理時の油煙や水蒸気、熱気の外部への排出、排気が行われる。またレンジフードファン１は、下向きに開口する方形状の吸込口２を下部に有するレンジフード本体３と、このレンジフード本体３の下部側に取り付けられたレンジフード本体３とは別体のガイドボックス４と、吸込口２の前面側となる下方部分に前側から後側に向けて下向き傾斜となるようレンジフード本体３とガイドボックス４に着脱可能に取り付けられた整流板５を備えて構成されている。なお、６は幕板で、レンジフードファン１の設置に際して周囲の棚類との調和をとる等のために、レンジフード本体３の上面上に適宜に取り付けられる。
【００１５】
レンジフード本体３は、下向き開口した浅い方形の箱形状を、前部に前枠７、側部及び後部に側枠８、天井部に天板９を設けて構成し、さらに天井部の後部には、上方に突出するよう外カバー１０が設け、またさらに箱形状の下向き開口部分を下側から塞ぐようフード１１を設けて構成したものとなっている。そして開口部分を塞ぐフード１１は、縁部分を残し内方部分を上方に向かって略方形状に凹没させた凹部１２を有し、凹部１２の後部側に吸込口２が形成されている。さらに吸込口２には、これを覆うように油やごみ等の通過を制限するフィルタ２ａが、止めねじ２ｂによって取付け取外し可能となるよう設けられている。
【００１６】
また、レンジフード本体３の上方に突出する外カバー１０内には、送風機１３が下側の吸込み側を吸込口２に臨ませ、上側の吹出し側を外カバー１０上部に設けたダクト１４に臨ませるようにして収納されている。なお、送風機１３は、外カバー１０内に固定された下部に吸込み側、上部に吹出し側を有するハウジング１５内に、回転軸方向を上下方向とした多翼ファン１６をモータ１７によって回転するよう設けて構成されたもので、前枠７に設けた操作パネルを操作することによって、起動、風量選択、運転停止が行えるようになっている。またダクト１４の上端には、レンジフードファン１の設置の際に、例えば壁部を貫通するように設けられた排気ダクトの室内側端が連接される。
【００１７】
また、レンジフード本体３とは別体のガイドボックス４は、図４及び図５に示すように左右の両側板１８ａ，１８ｂと後板１９とをコ字状に組み合わせてなるもので、両側板１８ａ，１８ｂは側方向への投影形状が同一の略台形状で、その上辺は長く、下辺が短く、さらに後上部の角が直角で、この角に対する辺部分である前側辺部分２０が、前側から後側に向けての下向き傾斜の曲線状をなすものとなっている。
【００１８】
また後板１９は、背板部分２１ａと下板部分２１ｂとで構成されていて、背板部分２１ａはレンジフードファン１の設置の際に壁部に固定され、そのための設置孔２２が形成されている。一方、下板部分２１ｂは背板部分２１ａから連続して前方側に折曲し、その前部を上方に向う曲面状としたもので、さらに両側部には折曲によって立上縁２３が形成され、油受けとなっている。そして両側板１８ａ，１８ｂと後板１９とは、背板部分２１及び立上縁２３に形成された取付孔２４と両側板１８ａ，１８ｂのねじ孔２５、ねじ２６によって固定されている。
【００１９】
さらにガイドボックス４には、下板部分２１ａの上方に整流板５を着脱可能に取り付けるための丸棒状の取付金具２７が、両端に装着した、例えばシリコン樹脂、ふっ素樹脂等の耐熱、難燃性を有する両側板１８ａ，１８ｂより硬度の低い難燃性樹脂組成物製のつば付き帽子形状のキャップ２８を介し、ガイドボックス４を組み立てる際、両側板１８ａ，１８ｂの嵌め孔２９に嵌め込むことにより取り付けられている。
【００２０】
また、各側板１８ａ，１８ｂは、それぞれ外側板部材３０ａ，３０ｂと内側板部材３１ａ，３１ｂ、飾り板３２で構成されており、外側板部材３０ａ，３０ｂには、同一幅の内方側に折曲させた側片３３が全周にわたり形成されおり、内側板部材３１ａ，３１ｂにも同様に、同一幅の逆に外方側に折曲させた側片３４が全周にわたり形成されている。そして、外側板部材３０ａ，３０ｂと内側板部材３１ａ，３１ｂの各側片３３，３４を、先端面同士が当接するように突き合わせ組み合わせることによって、各側板１８ａ，１８ｂは各側片３３，３４の幅の２倍となる厚さを有する二重構造のものとなっている。なお、取付金具２７を取り付けるためのキャップ２８の嵌め孔２９と、後板１９の下板部分２２を固定するねじ孔２５は、内側板部材３１ａ，３１ｂのみに形成されている。
【００２１】
さらに、各側板１８ａ，１８ｂには、ガイドボックス４をレンジフード本体３の下部側に取り付けるための引掛け金具３５が、上辺部分３６の前後２ヶ所にそれぞれ先端部の指向方向を側板１８ａ，１８ｂの後部方向として、根元部が固定されている。引掛け金具３５は偏平なＺ字形状をなすよう折曲したもので、その固定は、図６及び図７に示すように、引掛け金具３５の根元部にリベット孔３７と係止突起３８を形成すると共に、これに対応して外側板部材３０ａ，３０ｂと内側板部材３１ａ，３１ｂの各対応部位に、スリット３９と固定孔４０、係合孔４１を形成しておき、スリット３９に引掛け金具３５を挿し入れ、係止突起３８と係合孔４１を係合させ、リベット孔３７と固定孔４０とをリベット４２によりかしめ止めすることによって行われている。この引掛け金具３５のリベット止めによって、外側板部材３０ａ，３０ｂと内側板部材３１ａ，３１ｂの対応するもの同士が固着される。
【００２２】
また、飾り板３２は、各側板１８ａ，１８ｂが二重構造のものとなるよう組み合わせた外側板部材３０ａ，３０ｂと内側板部材３１ａ，３１ｂとを固定するもので、前側辺部分２０と下辺部分４３に取着される。そして、その取着は、図８に示すように、飾り板３２の両側に立縁４４を形成し、さらに立縁４４に係止凸部４５を有する複数の係止片４６を形成し、また外側板部材３０ａ，３０ｂと内側板部材３１ａ，３１ｂには、係止片４６に対応する複数の係止角孔４７を前側辺部分２０と下辺部分４３の側片３３，３４に形成しておき、係止凸部４５によって抜け止めされるまで係止片４６を係止角孔４７に押し入れることにより行われる。また飾り板３２を取着することで、前側辺部分２０と下辺部分４３での外側板部材３０ａ，３０ｂと内側板部材３１ａ，３１ｂの側片３３，３４の突き合わせ部分が覆われることになる。
【００２３】
一方、レンジフード本体３を構成するフード１１は、図９及び図１０に示すように、外周縁に上方に折曲された立縁部１１ａが形成されており、また凹部１２の前側両側部に、下面側から上面側にバーリング加工することによって長円形の吊孔４８が形成されており、さらに上面側の吊孔４８の近傍に保持機構４９が取り付けられている。保持機構４９には、吊孔４８の上方に先端部が常時位置するよう図示しないばね部材により付勢された保持部材５０が設けられ、また保持部材５０にはフード１１の下面側に延出する取外しレバー５１が設けられている。また吸込口２の四周囲には、上面側に折曲することにより、送風機１３を吸込口２の上方に取着し、吸込み側が吸込口２に臨むよう位置させる取着部５２が形成されている。
【００２４】
さらに、フード１１には、その凹部１２を囲む両側の堤状部５３の所定部位に、引掛け金具３５を引掛けてガイドボックス４をレンジフード本体３の下部側に取り付けるための角孔５４が形成されている。これにより、対応する角孔５４と引掛け金具３５の先端部を位置合わせし、ガイドボックス４を後方向に移動させることにより、ガイドボックス４のレンジフード本体３下部側への取付けが行えることになり、逆に行うことでガイドボックス４の取外しが行えることになる。
【００２５】
また、整流板５は、レンジフード本体３の吸込口２より大きい方形状のもので、図１１に示すように、外周縁を上方に折曲させてなる立上縁部５ａが形成されており、また縁部分を残し内方部分５ｂを下方に向って略方形状に凹没させた形状を有するものとなっている。さらに整流板５には、前側両角部近傍の前縁部分に、棒状部材をループ状の所定形状に折曲して形成した吊金具５５が、根元端をねじ止め、あるいは溶接等することによって立設されており、また後縁部分の両側部に、棒状部材をループ状の所定形状に折曲し、さらにループ状のものを倒立Ｊ字状に形成した掛金具５６が、同じく根元端をねじ止め、あるいは溶接等することによって立設されている。
【００２６】
このように構成することにより、掛金具５６をレンジフード本体３の下部側に取り付けられているガイドボックス４の取付金具２７に引掛けた後、吊金具５５を吊孔４８に挿し込み、さらに保持機構４９のばね部材により付勢されている保持部材５０の先端部が、吊金具５４のループ孔を貫通するように取り付けることで、整流板５は、レンジフード本体３の吸込口２の前面側となる下方部分に、側板１８ａ，１８ｂの傾斜する前側辺部分２０に略沿って、前側から後側に向けて下向き傾斜となるように取り付けられる。なお、この取付けにより、整流板５の下端縁である後部側部分が後板１９の下板部分２１ｂの上方に位置することとなる。
【００２７】
また、このように整流板５を取り付けることで、整流板５の立上縁部５ａの前縁とフード１１の凹部１２底面との間、整流板５の立上縁部５ａの両側縁とフード１１の堤状部５３内面の間、さらに整流板５の内方部分５ｂ外面と後板１９の下板部分２２前縁との間に、それぞれ吸込み開口５７ａ，５７ｂ，５７ｃ，５７ｄが形成される。そして、整流板５の立上縁部５ａの前縁とフード１１の凹部１２底面との間の吸込み開口５７ａよりも、整流板５の内方部分５ｂ外面と後板１９の下板部分２１ｂ前縁との間の吸込み開口５７ｂが、広い開口となるよう形成され、また整流板５の立上縁部５ａの両側縁とフード１１の堤状部５３内面の間の吸込み開口５７ｃ，５７ｄは、共に前部と後部の開口幅が略等しく、さらに互いに等しい大きさの開口に形成されている。
【００２８】
また、保持機構４９の取外しレバー５１を、ばね部材の付勢に抗して保持部材５０が後退するよう操作することで、保持部材５０から吊金具５５が外せ、さらに取付金具２７から掛金具５６を外すことで整流板５を取り外すことができ、整流板５がレンジフード本体３とガイドボックス４に着脱可能に設けられることとなる。
【００２９】
そして、レンジフードファン１の設置は、先ずレンジフード本体３を、例えば厨房壁部の調理用レンジの略直上方となる所定の高さ部分に取り付ける。そして、ダクト１４と壁部を外部に連通するよう貫通して設けられた排気ダクトとを接続する。続いて、レンジフード本体３のフード１１に形成された角孔５４にガイドボックス４の引掛け金具３５を挿し入れ、ガイドボックス４を後部側に移動させて引掛け金具３５を角孔５４に係合させる。その後、設置孔２２を使ってガイドボックス４を壁部に図示しないが木ねじ等でねじ止めする。次に、整流板５の掛金具５６をガイドボックス４の取付金具２７に引掛け、吊金具５５をフード１１の吊孔４８に挿し込み、さらに保持機構４９の保持部材５０を吊金具５４のループ孔に通し、整流板５をレンジフード本体３の吸込口２の前面側となる下方部分に、下向き傾斜となるように取り付けられる。
【００３０】
また、調理に際して、調理開始時等においては油煙や水蒸気、熱気は、図１２（ａ）に実線矢印Ｘで示すように、主として吸込み開口５７ａよりも広い開口となるよう形成された整流板５と下板部分２１ｂ前縁との間の吸込み開口５７ｂから、レンジフードファン１内に吸込まれて外部へ排出、排気される。また通常調理時においては、図１２（ｂ）に実線矢印Ｙで示すように、油煙や水蒸気、熱気は全ての吸込み開口５７ａ，５７ｂ，５７ｃ，５７ｄからレンジフードファン１内に吸込まれて外部へ排出、排気される。
【００３１】
そして、以上のように構成することで、ガイドボックス４内に傾斜配置した整流板５により調理時の油煙や水蒸気、熱気は、調理開始時やＩＨ調理器による調理時等の上昇流の少ない時でも、レンジに近く、整流板５の前縁側の吸込み開口５７ａよりも広い開口である整流板５と下板部分２１ｂ前縁との間の吸込み開口５７ｂに確実に吸込まれ、効率よく外部へ排出、排気されることになる。また整流板５は、下端縁となる後部側部分が後板１９の下板部分２１ｂの上方に位置するため、整流板５に付着した油や水滴が全て、確実に油受けの下板部分２１ｂに集められて清掃でき、さらに整流板５は、簡単な操作で着脱でき、着脱のための吊金具５５や掛金具５６も棒状部材を折曲してループ状に形成したものであるから、清掃性がよく、清掃の際にもけがをしてしまうような虞もなくなる。
【００３２】
また、ガイドボックス４については、側板１８ａ，１８ｂを二重構造とするため突き合わせた外側板部材３０ａ，３０ｂと内側板部材３１ａ，３１ｂの側片３３，３４の端部を、飾り板３２で覆い露出しないようにしたので、側板１８ａ，１８ｂ部分の清掃がし易く、けがをしてしまうような虞もない。さらに側板１８ａ，１８ｂを二重構造とし、飾り板３２で突き合わせた側片３３，３４の端部を覆い、側板１８ａ，１８ｂ外側面が加工を施さない平坦なものであるため、視覚的に外観が向上したものとなる。またさらに整流板５を取り付けるための取付金具２７を、樹脂組成物のキャップ２８を介して内側板部材３１ａ，３１ｂに取り付けるようにしたので、取付部分からの付着油の漏出が防止でき、また振動による摩擦が緩和され、異常振動音等の発生を抑制することができる。
【００３３】
また、レンジフードファン１の設置に際しては、レンジフード本体３を壁部に固定した後に、別体のガイドボックス４を取り付けるようにすることができることから、重くて全体形状が大きく、取り扱い難いレンジフードファン１の設置が、比較的やり易く、簡単に行え、設置時の施工の安全性も増したものとなる。
【００３４】
【発明の効果】
以上の説明から明らかなように、本発明によれば、上昇流が少ない場合においても、煙や水蒸気、熱気の排出、排気等を効率よく行うことができ、また効率的に煙や水蒸気、熱気を捕らえるための整流板の着脱が簡単に行え、清掃性が良好であり、さらに壁部等への設置がやり易く施工性が良好である等の効果を奏する。
【図面の簡単な説明】
【図１】本発明の一実施形態を示す斜視図である。
【図２】本発明の一実施形態を示す縦断面図である。
【図３】本発明の一実施形態の分解状態を示す斜視図である。
【図４】本発明の一実施形態におけるガイドボックスの斜視図である。
【図５】本発明の一実施形態における分解状態のガイドボックスの斜視図である。
【図６】本発明の一実施形態における分解して示す側板部要部の斜視図である。
【図７】本発明の一実施形態における側板部要部の縦断面図である。
【図８】本発明の一実施形態における側板部の飾り板取付け要部を示す図で、図８（ａ）は分解して示す斜視図、図８（ｂ）は縦断面図である。
【図９】本発明の一実施形態におけるフードの上面側を示す斜視図である。
【図１０】本発明の一実施形態におけるフードの下面側要部の斜視図である。
【図１１】本発明の一実施形態における整流板の上面側を示す斜視図である。
【図１２】本発明の一実施形態における運転時の状態を説明するための図で、図１２（ａ）は上昇流の少ない調理開始時等における状態を模式的に示す図、図１２（ｂ）は通常調理時における状態を模式的に示す図である。
【符号の説明】
２…吸込口
３…レンジフード本体
４…ガイドボックス
５…整流板
１３…送風機
１８ａ，１８ｂ…側板
１９…後板
２１ｂ…下板部分
２７…取付金具
２８…キャップ
２９…嵌め孔
３０ａ，３０ｂ…外側板部材
３１ａ，３１ｂ…内側板部材
４９…保持機構
５５…吊金具
５６…掛金具
５７ａ，５７ｂ，５７ｃ，５７ｄ…吸込み開口
【図１】
2004263908.tif 000003
【図２】
2004263908.tif 000004
【図３】
2004263908.tif 000005
【図４】
2004263908.tif 000006
【図５】
2004263908.tif 000007
【図６】
2004263908.tif 000008
【図７】
2004263908.tif 000009
【図８】
2004263908.tif 000010
【図９】
2004263908.tif 000011
【図１０】
2004263908.tif 000012
【図１１】
2004263908.tif 000013
【図１２】
2004263908.tif 000014